(57)【要約】【課題】  遊技機に備えた表示器に取付けた受側コネクタへの差込側コネクタの抜き差し作業を簡単化できるようにすること。【解決手段】  ドット式表示器２３は複数のＬＥＤ発光素子４６をマトリックス状に配設された表示器本体４５と、この表示器本体４５の裏面側に所定間隔空けて配置された駆動回路基板４７とを有し、所定長さを有するスペーサ５１を介して、その裏面側に配設された短冊状の取付基板５２に着脱可能に固定されている。取付基板５２の上下方向中段部に開口部５２ａが形成され、駆動回路基板４７の裏面に後向きに第１及び第２受側コネクタ４９，５０が設けられ、開口部５２ａを介して、演出制御手段からの第１及び第２接続線６４，６６の差込側コネクタ６５，６７を、第１及び第２受側コネクタ４９，５０に後側から着脱可能になっている。【選択図】  図３
2005065808.tif 000002
【特許請求の範囲】
【請求項１】
表示面に所定の図柄を表示する表示器(23)と、この表示器(23)を制御する制御手段とを備えた遊技機において、
前記表示器(23)は、表示器本体(45)と、この表示器本体(45)の裏面側に所定間隔空けて配置された駆動回路基板(47)とを有し、
前記表示器(23)を支持する取付基板(52)であって、表示器(23)の裏面側に配設され且つ遊技機のフレーム(60)に着脱可能に取付けられる取付基板(52)と、
前記制御手段に接続された接続線(64,66) の差込側コネクタ(65,67) を接続する為に、前記駆動回路基板(47)の裏面に後向きに設けられた受側コネクタ(49,50) と、
前記差込側コネクタ(65,67) を受側コネクタ(49,50) に後側から着脱可能にする為に前記取付基板(52)に形成された開口部(52a) 又は切欠き部と、
を備えたことを特徴とする遊技機。
【請求項２】
前記駆動回路基板(47)は、複数のスペーサ(51)を介して前記取付基板(52)の前側に所定スペースを空けて配設されたことを特徴とする請求項１に記載の遊技機。
【請求項３】
前記遊技機のフレーム(60)に前記表示器本体(45)の表示面の前側に位置する透明板(61)を設け、前記取付基板(52)に前記表示面よりも裏面側へ所定距離後退して位置する複数の表示ランプ(24,25) を設けたことを特徴とする請求項２に記載の遊技機。
【請求項４】
前記開口部(52a) は、何れかの前記差込側コネクタ(65,67) を着脱時に差込側コネクタ(65,67) を摘んだ指(F) の一部を導入可能に形成されたことを特徴とする請求項１〜３の何れかに記載の遊技機。
【請求項５】
前記差込側コネクタ(65,67) を対応する受側コネクタ(49,50) に接続した状態では、差込側コネクタ(65,67) の後端部が、前記開口部(52a) 又は切欠き部よりも裏面側に突出することを特徴とする請求項１〜４の何れかに記載の遊技機。
【発明の詳細な説明】
【技術分野】
【０００１】
本発明は、遊技機の前面側に設けたドット式又は液晶式の表示器により、各種の演出表示を行うようにしたものに関する。
【背景技術】
【０００２】
従来、遊技機として、スロットマシンにおいては、遊技者が遊技媒体であるメダルを使用して遊技するものである。それ故、遊技者は、遊技開始の際には概ね1000円で５０枚のメダルを借り、そのうちの１〜３枚のメダルを投入口に投入し、スタートレバーを操作して３つの回転リールを回転させ、３つのストップボタンを順次操作し、回転する３つの回転リールを所望の図柄にて停止させて遊技を行う。
【０００３】
その遊技の結果、３つの回転リールの回転が停止して表示された３つの停止図柄の組合わせが複数種類の入賞図柄態様の何れかになった場合、その入賞図柄態様に応じた枚数（１〜１５枚）のメダルが遊技者に還元される。この場合、入賞図柄態様が特別図柄態様であった場合には、所謂「ビッグボーナス」又は「レギュラーボーナス」となり、次ゲームから約数ゲーム〜数１０ゲームにおいて、停止図柄が遊技者に有利な入賞図柄態様となり易く、多数枚のメダルが払出される。
【０００４】
ところで、最近のスロットマシンにおいては、３つの回転リールの側部と上側と下部の何れかに小型の表示器を設け、ゲーム開始時又はゲーム中に、この表示器に、「ビッグボーナス」や「レギュラーボーナス」に発展するような期待を遊技者に持たせる演出表示を行ったり、ゲーム開始時に発生した小役を成立させ易いように小役の種類を報知（アシスト）する等して、ゲーム性を高めるようになっている。
【０００５】
例えば、特開２００３−７９４号公報に記載の遊技機（スロットマシン）には、複数種類の図柄が夫々描かれた３つの回転リールの右側のフロントパネルに、液晶表示器又はドット式表示器が設けられ、ゲーム開始時に抽選により成立した小役の種類をこれら表示器に表示する等して、各種の遊技情報をナビゲーション的に表示するようにしてある（例えば、特許文献１参照）。
【０００６】
また、特開２００３−２４５０８号公報に記載の遊技機（スロットマシン）には、複数種類の図柄が夫々描かれた３つの回転リールの下側のパネル表示部に液晶表示器が設けられ、小役の入賞が成立した場合、小役の入賞成立を実現する為に必要な停止ボタンの操作順序をその液晶表示器（ドット式表示器）に報知するようにしてある（例えば、特許文献２参照）。
【０００７】
このように、演出表示や情報表示に用いるドット式表示器を遊技機の前面パネルに設ける場合、これら表示器は、通常、複数の発光灯を有する表示器本体と、この表示器の裏側に所定間隔空けて配設された各発光灯を駆動する駆動回路基板とから構成されている。一般的に、この駆動回路基板が、前面パネルの裏面側に配設された本体フレームに裏側から複数本のビス等により着脱可能に取付けられ、演出表示制御基板に接続した複数本の接続線からコネクタを介して表示制御信号を受けるようになっている。
【０００８】
この場合、ドット式表示器を、その裏側の駆動回路基板を介して本体フレームに裏側から着脱可能に取付けるため、駆動回路基板の後側には何ら障害となるフレーム等が無いため、演出表示制御基板からの接続線に設けた差込側コネクタを差込む受側コネクタを、駆動回路基板の任意の位置に設けることができ、必要に応じて差込側コネクタを容易に抜き差しすることができる。
【０００９】
【特許文献１】特開２００３−７９４号公報  （第１１頁、図１）
【特許文献２】特開２００３−２４５０８号公報  （第６頁、図１）
【発明の開示】
【発明が解決しようとする課題】
【００１０】
ところで、ゲーム開始時に成立した成立役等を浮かび上がるように表示する表示ランプ（白熱ランプ）を、これら表示器の上側と下側とに、或いは右側と左側とに夫々設けるような場合、これら表示ランプを一体的に支持するとともに、表示ランプに電気を夫々供給する配線を施した１枚のランプ用プリント基板を、表示器の裏面側に配置して本体フレームに着脱可能に取付け、ドット式表示器をその裏面側のランプ用プリント基板で支持させるように構成する場合がある。
【００１１】
このような場合、ドット式表示器の駆動回路基板に取付ける受側コネクタがそのランプ用プリント基板と干渉しないように、受側コネクタの向きを駆動回路基板と平行となる姿勢にせざるを得ないようになる。そのため、この受側コネクタに接続する差込側コネクタの抜き差し作業が非常に困難になること、駆動回路基板とランプ用プリント基板との隙間が狭い場合には、受側コネクタを駆動回路基板に設けることができなくなるという問題がある。
【００１２】
更に、このように、複数の表示ランプを設けたランプ用プリント基板にドット式表示器を一体的に設け、ランプ用プリント基板をその前側に位置する前面パネルに後方から近づくように配置する場合には、ドット式表示器が前面パネルに最接近するため、ドット式表示器により表示される遊技情報や演出情報を前面パネルを介して明瞭に表示させることができるが、同時に複数の表示ランプも前面パネルに最接近するため、表示ランプによる照射範囲が非常に狭くなり、成立役等のアシスト情報の全体を綺麗に表示できなくなる。
【００１３】
そこで、ランプ用プリント基板をその前側に位置する前面パネルから後方に遠ざけて配置する場合には、複数の表示ランプが前面パネルから離れるため、表示ランプによる照射範囲が広く且つ均等になり、成立役等のアシスト情報の全体を綺麗に表示できる反面、同時にドット式表示器も前面パネルから離れるため、遊技情報や演出情報を前面パネルを介して明瞭に表示できなくなること、等の問題がある。
【課題を解決するための手段】
【００１４】
請求項１の遊技機は、表示面に所定の図柄を表示する表示器と、この表示器を制御する制御手段とを備えた遊技機において、表示器は、表示器本体と、この表示器本体の裏面側に所定間隔空けて配置された駆動回路基板とを有し、表示器を支持する取付基板であって、表示器の裏面側に配設され且つ遊技機のフレームに着脱可能に取付けられる取付基板と、制御手段に接続された接続線の差込側コネクタを接続する為に、駆動回路基板の裏面に後向きに設けられた受側コネクタと、差込側コネクタを受側コネクタに後側から着脱可能にする為に取付基板に形成された開口部又は切欠き部とを備えたものである。
【００１５】
遊技機に設けられた表示器は、その表示器本体を介して裏面側に配設された取付基板に支持され、その取付基板が遊技機のフレームに着脱可能に取付けられている。駆動回路基板の裏面に受側コネクタが後向きに設けられている。ところで、取付基板には開口部又は切欠き部が設けられているため、受側コネクタと裏面側に配設された取付基板とが何ら干渉することがない。更に、制御手段に接続された接続線の差込側コネクタを、その開口部的切欠き部を介して受側コネクタに後側から容易に着脱操作することができる。
【００１６】
ここで、前記駆動回路基板は、複数のスペーサを介して取付基板の前側に所定スペースを空けて配設するようにしてもよい。また、前記遊技機のフレームに表示器本体の表示面の前側に位置する透明板を設け、取付基板に表示面よりも裏面側へ所定距離後退して位置する複数の表示ランプを設けるようにしてもよい。
【００１７】
また、前記開口部は、何れかの差込側コネクタを着脱時に差込側コネクタを摘んだ指の一部を導入可能に形成さするようにしてもよい。また、前記差込側コネクタを対応する受側コネクタに接続した状態では、差込側コネクタの後端部が、開口部又は切欠き部よりも裏面側に突出するようにしてもよい。
【発明の効果】
【００１８】
請求項１の発明によれば、遊技機に設けられた表示器は表示器本体と駆動回路基板とを有し、取付基板と、受側コネクタと、取付基板に形成された開口部又は切欠き部とを設けたので、表示器の駆動回路基板に受側コネクタを後向きに設けることができ、そのため、制御手段に接続された接続線の差込側コネクタを、その開口部又は切欠き部を介して受側コネクタに後側から容易に着脱操作することができる。更に、取付基板には開口部又は切欠き部が設けられているため、その開口部又は切欠き部を介して受側コネクタと取付基板とが何ら干渉することがなく、表示器の裏面側に取付基板を配置でき、受側コネクタや取付基板を配置する自由度を拡大することができる。
【００１９】
ここで、前記駆動回路基板を、複数のスペーサを介して取付基板の前側に所定スペースを空けて配設するようにしてもよく、この場合には、表示器の取付け位置が前側の透明板（パネル）に最接近するようになり、表示器により表示される遊技情報や演出情報をパネルを介して明瞭に表示させることができる。更に、遊技機のフレームに表示器本体の表示面の前側に位置する透明板を設け、取付基板に表示面よりも裏面側へ所定距離後退して位置する複数の表示ランプを設けるようにしてもく、この場合には、表示ランプが透明板から後方に遠ざかるため、表示ランプによる照射範囲が広く且つ均等になり、成立役等のアシスト情報の全体を綺麗に浮かび上がるように表示できる。
【発明を実施するための最良の形態】
【００２０】
遊技者がメダルを１〜３枚投入した状態で、スタートレバーを操作して３つの回転リールを回転させ、３つのストップボタンを順次操作して回転する３つの回転リールを順次停止させて遊技するスロットマシンに、成立役を表示するドット式表示器を設け、そのドット式表示器に取付けた受側コネクタへの差込側コネクタの抜き差し作業を簡単化できるようにしてある。
【実施例】
【００２１】
図１に示すように、スロットマシン１は収容ケース２を備え、この収容ケース２の内部に３つ（左、中、右）の回転リール３〜５が設けられている。各回転リール３〜５の外周面には複数（例えば、２１個）の複数種類の遊技図柄（例えば、「７（赤）」、「７（白）」、「ＢＡＲ」、「ベル」、「Ｒ」等）が印されている。
【００２２】
収容ケース２は、前方開放状のケース本体６と、ケース本体６に枢支されてケース本体６の前側を開閉可能に覆う開閉ドア７とを有する。開閉ドア７の上部に、３つの上部ランプ１０，１１が設けられるとともに、大型の液晶表示器１２が設けられ、中段部分には、前方へ張出す中段フレーム１３が設けられ、液晶表示器１２と中段フレーム１３との間に表示パネル１４が設けられている。この表示パネル１４には、３つの回転リール３〜５の複数の遊技図柄を表示する為の３つの表示窓１５が夫々形成されている。
【００２３】
表示パネル１４には、左側表示窓１５の左側に、５つの投入枚数ランプ１６〜２０とＳＴＡＲＴランプ２１が設けられ、右側表示窓１５の右側に、後述するよに、小型のドット式表示器２３と、上下２つの表示ランプ２４，２５が夫々設けられている。表示パネル１４の表示窓１５の下側には、７セグメントの発光ダイオードからなる貯留枚数表示器２７と特別遊技表示器２８と付与枚数表示器２９が設けられている。
【００２４】
中段フレーム１３の上面部には、メダル精算ボタン３０、１枚投入用のメダル投入１ボタン３１、ＭＡＸ（３枚）投入用のメダル投入２ボタン３２、メダル投入口３３が設けられ、中段フレーム１３の前面部側には、スタートレバー３５、３つのストップボタン３６〜３８が設けられている。開閉ドア７の下部には左右１対のスピーカ４０と、メダル払出口４１が設けられ、メダル払出口４１の下側にメダル受け皿４２が設けられている。
【００２５】
尚、ケース本体２の内部には、図示しないが、３つの回転リール３〜５を有する回転リールユニットと、これら回転リール３〜５の回転制御や停止制御等の遊技制御を統括的に司る主制御手段と、この主制御手段から受ける各種の制御コマンドに基づいて、演出制御や種々の表示ランプの発光制御等を司る副制御手段と、メダル払出装置、電源ユニット等が設けられている。ここで、副制御手段には、これら液晶表示器１２及びドット式表示器２３（これが表示器に相当する）を駆動制御して演出表示する演出制御手段（これが表示器を制御する制御手段に相当する）が設けられている。
【００２６】
次に、複数の発光灯であるＬＥＤ発光素子により演出表示するドット式表示器２３について、図２〜図５に基づいて説明する。
このドット式表示器２３は、上下方向向きに配設され、複数のＬＥＤ発光素子４６をマトリックス状に配設された表示器本体４５と、この表示器本体４５の裏面側に所定間隔空けて配置された駆動回路基板４７とを有している。
【００２７】
即ち、図５に示すように、表示器本体４５の表面側に複数のＬＥＤ発光素子４６がマトリックス状に整然と配置され、各ＬＥＤ発光素子４６のリード線の後端部が駆動回路基板４７に形成した配線パターン（図示略）にハンダ付けされている。駆動回路基板４７には、図示しない発光制御用のドライバ素子等が設けられており、演出制御手段から供給される表示制御信号に基づいて複数のＬＥＤ発光素子４６を、例えば、ダイナミック駆動方式により発光駆動するようになっている。
【００２８】
駆動回路基板４７の裏面側には、図２、図３に示すように、その上端部分に、偏平状の第１受側コネクタ４９の前端部と、第２受側コネクタ５０の前端部とが、上下２段で夫々水平状にハンダ付けにより後向きに固定されている。これら第１受側コネクタ４９及び第２受側コネクタ５０には、夫々複数の接続端子が所定間隔おきに配置されている。そして、このドット式表示器２３は、上下２カ所ずつに設けた所定長さを有するスペーサ５１を介して、その裏面側に配設された上下方向に長い短冊状の取付基板５２の高さ方向略中段部に、ビス５３により着脱可能に固定されている。
【００２９】
それ故、ドット式表示器２３の駆動回路基板４７は、取付基板５２の前側に、スペーサ５１をを介して所定スペース空けて配設されている。更に、その取付基板５２には、図２に示すように、上側から約１／３に亙って略矩形状の上側矩形開口部５２ｂと、下側から約２／３に亙って略矩形状の下側矩形開口部５２ｃとからなる、所謂、ボトル形状の開口部（又は切欠き部）５２ａが形成されている。この開口部５２ａには、上側矩形開口部５２ｂ内の下端部に対応するように第１受側コネクタ４９が後向きに設けられており、下側矩形開口部５２ｃ内の上端部に対応するように第２受側コネクタ５０が後向きに設けられている。
【００３０】
取付基板５２のドット式表示器２３よりも上側には、図２、図３、図５に示すように、発熱球からなる第１表示ランプ２４を着脱可能に取付けた第１ソケット５５が着脱可能に前向きに取付けられている。また、取付基板５２のドット式表示器２３よりも下側には、同様に、第２表示ランプ２５を着脱可能に取付けた第２ソケット５６が着脱可能に前向きに取付けられている。それ故、取付基板５２には、これら第１及び第２表示ランプ２４，２５に電気を供給する為の配線パターンが形成されるとともに、この配線パターンに電気を供給する為の複数の電源用の受側コネクタ５７〜５９が設けられている。
【００３１】
このように、ドット式表示器２３の駆動回路基板４７は、４本のスペーサ５１を介して取付基板５２の前側に所定スペース空けて配設されたため、取付基板５２の上側と下側に夫々設けられた第１及び第２表示ランプ２４，２５は、表示器本体４５の表示面よりも裏面側へ所定距離後退して位置するように設けられている。
【００３２】
次に、ドット式表示器２３を取付けた取付基板５２を取付けフレーム６０に取付ける取付け収容部について、図２〜図４に基づいて説明する。
表示パネル１４の裏側には、図４に示すように、取付けフレーム６０が配設され、その取付けフレーム６０の右端部に取付け収容部６０ａが設けられている。即ち、取付けフレーム６０の右端側近傍部に、右側の表示窓１５を仕切る縦向きの仕切り壁６０ｂが形成されている。
【００３３】
その仕切り壁６０ｂと右端壁６０ｃとの間に、上下２つの水平な隔壁６０ｄ，６０ｅが図示のように夫々形成され、上側隔壁６０ｄと上端壁６０ｆとの間に、円形のランプ穴６０ｈを形成した上側反射壁６０ｇが形成されるともとに、下側隔壁６０ｅと下端壁６０ｘとの間に、円形のランプ穴６０ｊを形成した下側反射壁６０ｉが形成されている。
【００３４】
上側反射壁６０ｇの上端部の左側には、雌ネジ６０ｋを形成した台座６０ｍが形成され、その右側には、取付基板５２を前側から当接させて受けるＬ字状受部６０ｎが形成されている。更に、上端壁６０ｆの左右方向中央部には、図３、図４に示すように、後方に突出した下向きのフック部６０ｏが形成されている。下側反射壁６０ｉの下端の左右両側には、取付基板５２の下側の角部に当接させる１対のコーナ受部６０ｐ，６０ｑと、取付基板５２の下側の角部を前側から受ける１対のＬ字状受部６０ｒ，６０ｓが夫々形成されている。但し、これら上側隔壁６０ｄと下側隔壁６０ｅとの間には、ドット式表示器２３の全体を収容可能になっている。
【００３５】
取付けフレーム６０の外周部は、図３，図４に示すように、階段状に形成され、取付けフレーム６０の階段状外周部により形成された外側段部６０ｔ内に、透明なアクリル板６１が固着されている。第１表示ランプ２４に対応するアクリル板６１の上端部分の矩形領域の内側には、不透明に着色された不透明部に半透明の数字「７」が描かれている。また、第２表示ランプ２５に対応するアクリル板６１の下端部分の矩形領域の内側には、不透明に着色された不透明部に半透明の図柄「ＢＡＲ」が描かれている。そして、取付けフレーム６０は開閉ドア７に内側から複数本のビス等で固着されている。
【００３６】
次に、このように構成されたスロットマシン１の作用について説明する。
前述したように、取付基板５２には、１つのドット式表示器２３が４つのスペーサ５１を介して取付けられるとともに、上側と下側とに第１表示ランプ２４及び第２表示ランプ２５とが取付けられている。そこで、メーカにおいてその取付基板５２を取付けフレーム６０の収容部６０ａに取付ける場合には、先ず、取付基板５２の下端部の左右両端部をＬ字状受部６０ｒ，６０ｓに夫々前方から当接させながら下方にスライドさせることで、図３に示すように、取付基板５２の下端部の左右両端部は前方からＬ字状受部６０ｒ，６０ｓで支持されながら、左右のコーナ部６０ｐ，６０ｑで下側と左右両側とから位置決め状態で支持される。
【００３７】
その結果、取付基板５２の下端部において、上下方向位置と左右方向位置とが同時に決定され、安定した状態に保持される。次に、その安定した保持状態を維持しながら、取付基板５２の上端部を前方に移動させると、取付基板５２の上端がフック部６０ｏに自動的に係合される。このとき、取付基板５２の上端部は、前方からＬ字状受部６０ｎと台座６０ｍとで支持される。この状態で止めビス６２により台座６０ｍの雌ネジ６０ｋに螺着させて固定する。その結果、取付基板５２は、図２に示すように、所定の取付け位置に簡単に取付けることができる。
【００３８】
その後、図示外の演出制御基板からの第１接続線６４の端部に設けられた第１差込側コネクタ６５を第１受側コネクタ４９に開口部５２ａを介して後方から押込んで接続し、演出制御基板からの第２接続線６６の端部に設けられた第２差込側コネクタ６７を第２受側コネクタ５０に開口部５２ａを介して後方から押込んで接続する。この場合、図３に示すように、作業者の指（例えば、親指と人指し指）Ｆの一部が開口部５２ａに導入可能なため、第１及び第２差込側コネクタ６５，６７を第１及び第２受側コネクタ４９，５０に夫々確実に接続することができる。このとき、第１及び第２差込側コネクタ６５，６７の後端部が、開口部５２ａよりも裏面側に突出している。
【００３９】
一方、第１及び第２差込側コネクタ６５，６７を取外す場合には、図３に示すように、作業者の指（例えば、親指と人指し指）Ｆの一部が開口部５２ａに導入可能であり、しかも第１及び第２受側コネクタ４９，５０が夫々後向きに設けられ、しかもこれら第１及び第２受側コネクタ４９，５０に差込まれた第１及び第２差込側コネクタ６５，６７も後向きであり、更に、第１及び第２差込側コネクタ６５，６７の後端部が、開口部５２ａよりも裏面側に突出しているため、第１及び第２差込側コネクタ６５，６７を開口部５２ａを介して指Ｆで確実に摘むことができ、第１及び第２差込側コネクタ６５，６７を後方に容易に取り外すことができる。
【００４０】
このように、スロットマシン１に設けられたドット式表示器２３は、複数のＬＥＤ発光素子４６をマトリックス状に並べた表示器本体４５と、この表示器本体４５の裏面側に所定間隔空けて配置された駆動回路基板４７とを有し、ドット式表示器２３を支持する取付基板５２であって、ドット式表示器２３の裏面側に配設され且つスロットマシン１の取付けフレーム６０の収容部６０ａに着脱可能に取付けられる取付基板５２と、演出制御手段に接続された第１及び第２接続線６４，６６の第１及び第２差込側コネクタ６５，６７を夫々接続する為に、駆動回路基板４７の裏面に後向きに設けられた第１及び第２受側コネクタ４９，５０と、第１及び第２差込側コネクタ６５，６７を第１及び第２受側コネクタ４９，５０に後側から着脱可能にする為に取付基板５２に形成された開口部５２ａとを設けたので、ドット式表示器２３の駆動回路基板４７に第１及び第２受側コネクタ４９，５０を後向きに設けることができる。
【００４１】
そのため、演出制御手段に接続された第１及び第２接続線６４，６６の端部に設けられた第１及び第２差込側コネクタ６５，６７を、その開口部５２ａを介して第１及び第２受側コネクタ４９，５０に後側から容易に着脱操作することができる。更に、取付基板５２には開口部５２ａが設けられているため、その開口部５２ａを介して第１及び第２受側コネクタ４９，５０と取付基板５２とが何ら干渉することがなく、ドット式表示器２３の裏面側に取付基板５２を配置でき、第１及び第２受側コネクタ４９，５０や取付基板５２を配置する自由度を拡大することができる。
【００４２】
また、駆動回路基板４７は、複数のスペーサ５１を介して取付基板５２の前側に所定スペースを空けて配設するようにしたため、ドット式表示器２３をスペーサ５１の長さに対応して前方に移動させて、前側に位置する透明なアクリル板６１により接近させることができ、表示器本体４５に有する複数のＬＥＤ発光素子４６による各種の表示情報を鮮明に、しかも浮かびあがるように遊技者に見せることができる。
【００４３】
また、スロットマシン１の取付けフレーム６０に表示器本体４５の表示面の前側に位置する透明なアクリル板６１を設け、取付基板５２に表示面よりも裏面側へ所定距離後退して位置する複数の第１及び第２表示ランプ２４，２５を設けるようにしたため、第１及び第２表示ランプ２４，２５がアクリル板６１から後方に遠ざかるため、これら第１及び第２表示ランプ２４，２５による照射範囲が広く且つ均等になり、成立役等のアシスト情報の全体を綺麗に浮かび上がるように表示できる。更に、ドット式表示器２３と複数の第１及び第２表示ランプ２４，２５を１枚の取付基板５２に一体的に設けることができ、スペース的にもコスト的に有利になる。
【００４４】
また、前記開口部５２ａは、第１及び第２差込側コネクタ６５，６７の着脱時に差込側コネクタ６５，６７を摘んだ指Ｆの一部を導入可能に形成するようにしたため、作業者の指（例えば、親指と人指し指）Ｆの一部が開口部５２ａに導入可能であり、しかも第１及び第２受側コネクタ４９，５０が夫々後向きに設けられ、しかもこれら第１及び第２受側コネクタ４９，５０に差込まれた第１及び第２差込側コネクタ６５，６７も後向きであるため、第１及び第２差込側コネクタを開口部５２ａを介して指で確実に摘むことができ、第１及び第２差込側コネクタ６５，６７を後方に容易に取り外すことができる。
【００４５】
また、第１及び第２差込側コネクタ６５，６７を対応する第１及び第２受側コネクタ４９，５０に接続させた状態では、これら第１及び第２差込側コネクタ６５，６７の後端部が、開口部５２ａよりも裏面側に突出するようにしたため、第１及び第２差込側コネクタ６５，６７の突出した後端部を指Ｆで確実に摘むことができ、第１及び第２差込側コネクタ６５，６７を後方に容易に取り外すことができる。
【００４６】
次に、このスロットマシン１の基本的な遊技説明を行う。
ゲームの開始にあたって、遊技者は１〜３枚のメダルをメダル投入口３３から直接投入するか、メダルの貯留がある場合は、メダル投入１ボタン３１又はメダル投入２ボタン３２を操作して、その貯留枚数の中から１枚〜３枚のメダルを投入する。
【００４７】
３つの表示窓１５に亙って５本の入賞ライン７０〜７４が設定され、投入されたメダルが１枚の場合は１本の入賞ライン７０が有効化され、２枚の場合は３本の入賞ライン７０〜７２が有効化され、３枚の場合は５本全ての入賞ライン７０〜７４が有効化される。少なくとも１本の入賞ライン７０〜７４が有効化された状態で、遊技者がスタートレバー３５を操作すると、回転リール３〜５が回転を開始する。
【００４８】
回転リール３〜５が回転を開始した後、ストップボタン３６〜３８を順次操作すると、操作したストップボタン３６〜３８に対応する回転リール３〜５が停止する。ストップボタン３６〜３８が操作されなかった場合でも、スタートレバー３５の操作時から所定時間（例えば、３０秒）経過すると、回転中である回転リール３〜５は自動的に停止するように制御される。
【００４９】
全回転リール３〜５が回転停止したとき、表示窓１５に変動停止して表示される３行３列計９つの遊技図柄のうち、有効化された入賞ライン７０〜７４上に並ぶ３つの遊技図柄の組合せが有効となり、その組合せが、大当り態様、小当り態様、複数種類の小役態様、リプレイ態様、外れ態様の何れになる。
【００５０】
大当り態様「７・７・７」と小当り態様「ＢＡＲ・ＢＡＲ・ＢＡＲ」が成立した場合は夫々１５枚のメダルが付与され、小役態様「ベル・ベル・ベル」が成立した場合は１２枚のメダルが付与され、小役態様「チェリー・−・−」が成立した場合は３枚のメダルが付与される。リプレイ態様「Ｒ・Ｒ・Ｒ」が成立した場合は、メダルを投入することなく、リプレイ態様が成立した今回のゲームと同じ枚数のメダルが投入されたものとして次ゲームが再遊技可能になる。
【００５１】
大当り態様が成立した場合には、１５枚のメダル付与に加えて、複数ゲームに亙って遊技者に有利な「ビッグボーナス」である利益状態が発生し、特別ゲームを最大で３０ゲーム実行可能となり、実行された特別ゲームにおいて、 JAC IN 態様（例えば、通常状態におけるリプレイ態様）が成立すると、特別ゲームとは別に「ボーナス」が開始される。１回の「ビッグボーナス」では「ボーナス」を最大で３回実行可能になる。
【００５２】
各「ボーナス」ではボーナスゲームを最大で１２ゲーム実行可能となり、ボーナスゲームを１２ゲーム消化するか、特別小役態様（例えば、通常状態におけるリプレイ態様）が成立したボーナスゲームを８ゲーム消化すると、「ボーナス」は終了する。そして、特別ゲームを３０ゲーム消化するか、又は、「ボーナス」を３回消化すると、「ビッグボーナス」は終了する。
【００５３】
小当り態様が成立した場合には、１５枚のメダル付与に加えて遊技者に有利な「レギュラーボーナス」が発生して、「ビッグボーナス」中の「ボーナス」に相当する状態となり、ボーナスゲームを最大で１２ゲーム実行可能となる。そして、ボーナスゲームを１２ゲーム消化するか、又は、特別小役態様が成立したボーナスゲームを８ゲーム消化すると、「レギュラーボーナス」は終了する。
【００５４】
ところで、このようなゲーム途中において、ドット式表示器２３には、内部抽選の結果、ビッグボーナスが当選又は実際に発生した場合には、例えば数字「７」が表示されたり、レギュラーボーナスが当選又は実際に発生した場合には、例えば数字「３」が表示されたり、小役が当選又は成立した場合には、例えば「ＢＥＬ」が表示されたり、またリプレイが当選又は成立した場合には、「リプレイ」が表示される。但し、このように、抽選結果を表示するか否かを抽選により決定するようになっている。
【００５５】
ここで、ビッグボーナスが発生した場合、第１表示ランプ２４を発光させて、半透明の数字「７」が浮かび上がるように表示される。また、レギュラーボーナスが発生した場合には、第２表示ランプ２５を発光させて、半透明の図柄「ＢＡＲ」が浮かび上がるように表示される。
【００５６】
更に、小役に当選したことのみ表示する以外に、その小役を実際に成立させる為に決まったリール停止順や停止タイミングが必要な場合に、そのリール停止順や停止タイミングが必要に応じて表示される。その例として、例えば、「７・スイカ・スイカ」を示す小役フラグが設定されている場合、ドット式表示器２３には「７・−・−」が表示される。これを見て、遊技者は回転リール３の数字「７」を表示窓１５に停止させるように、回転リール３を停止させる（つまり目押しする）。そこで、「７」が表示されると、回転リール４，５を適当に停止させて、「７・スイカ・スイカ」の小役態様を成立させることができる。
【００５７】
また、「ＢＡＲ・スイカ・スイカ」を示す小役フラグが設定されている場合、ドット式表示器２３には「ＢＡＲ・−・−」が表示される。この場合には、遊技者は回転リール３の図柄「ＢＡＲ」を表示窓１５に停止させるように、回転リール３を停止させてから、回転リール４，５を適当に停止させて、「ＢＡＲ・スイカ・スイカ」の小役態様を成立させることができる。
【００５８】
更に、ゲーム途中において、ドット式表示器２３には、特殊なキャラクタが表示されることでボーナスの確定を報知したり、成立役を報知する等、各種の演出情報が表示されるようになっている。
【００５９】
次に、前記実施形態を部分的に変更した変更形態について説明する。
１〕取付基板５２に、ドット式表示器２３と、第１表示ランプ２４と第２表示ランプ２５の何れか一方だけを設けるようにしてもよい。
２〕取付基板５２に形成する開口部５２ａを、第１及び第２受側コネクタ４９，５０と、その回りの環状スペース部を含むように、受側コネクタ４９，５０の夫々について個別に形成するようにしてもよい。
３〕ドット式表示器２３に代えて、液晶式表示器を使用するようにしてもよい。
【００６０】
４〕本発明は、以上説明した実施例に限定されるものではなく、本発明の趣旨を逸脱しない範囲で種々変更を付加し、本発明を適用することが可能である。更に、パチンコ機に限らず、遊技球やコイン等の各種の遊技媒体を用いるアレンジボール機、雀球遊技機等、種々の遊技機に本発明を適用することが可能である。
５〕特に、パチンコ機に本発明を適用した場合には、ドット式表示機は、特別図柄表示手段、普通図柄表示手段であってもよく、各種の演出用表示器であってもよい。
【産業上の利用可能性】
【００６１】
遊技球やコイン等の各種の遊技媒体を用いる弾球遊技機、スロットマシン、アレンジボール機、雀球遊技機等、種々の遊技機に使用される各種のドット式表示器を遊技機に取付ける場合に適用できる。
【図面の簡単な説明】
【００６２】
【図１】本発明の実施形態に係るスロットマシン（遊技機）の正面図である。
【図２】スロットマシンの裏側に設けられた取付けフレームの右端部分の拡大図である。
【図３】図２のＣ−Ｃ線縦断側面図である。
【図４】取付けフレームの右端部分の斜視図である。
【図５】ドット式表示器を設けた取付基板の正面図である。
【符号の説明】
【００６３】
１      スロットマシン（遊技機）
２３    ドット式表示器
２４    第１表示ランプ
２５    第２表示ランプ
４５    表示器本体
４６    ＬＥＤ発光素子
４７    駆動回路基板
４９    第１受側コネクタ
５０    第２受側コネクタ
５１    スペーサ
５２    取付基板
５２ａ  開口部
６１    アクリル板
６４    第１接続線
６５    第１差込側コネクタ
６６    第２接続線
６７    第２差込側コネクタ
【図１】
2005065808.tif 000003
【図２】
2005065808.tif 000004
【図３】
2005065808.tif 000005
【図４】
2005065808.tif 000006
【図５】
2005065808.tif 000007